(57)【要約】【課題】テレビジョン受像機の制御基板取付け装置において、不織布などのシート状のクッション材を用いることなく、制御基板の振動に伴うビビリ音の発生を抑制する。【解決手段】構体１０に差し込まれた矩形の制御基板５０の幅方向端部５１を、構体１０側の溝部２０に嵌合状に保持させている。溝部２０の一方側溝壁面２１を受面２３とし、他方側溝壁面２２を樹脂ばね２５の表面によって形成する。樹脂ばね２５を、湾曲形状の両持ち板片部２６によって形成する。両持ち板片部２６の頂部に突起２７を設ける。【選択図】図１
2012235367.tif 000002
【特許請求の範囲】
【請求項１】
構体に差し込まれた矩形の制御基板の幅方向端部が、上記構体に設けられた溝部に嵌合状に保持されているテレビジョン受像機の制御基板取付け装置において、
上記溝部の溝幅方向で相対向してその溝部を形成している一方側溝壁面と他方側壁面とのうち、一方側壁面が受面として形成されていると共に、他方側溝壁面が、上記制御基板の幅方向端部を押圧して上記受面に弾圧させる樹脂ばねの表面によって形成されていることを特徴とするテレビジョン受像機の制御基板取付け装置。
【請求項２】
上記樹脂ばねが、上記構体に形成された矩形の開口の相対向する辺部の相互間に亘って延び、かつ、上記受面に近付く方向に迫り出た湾曲形状の両持ち板片部によって形成されている請求項１に記載したテレビジョン受像機の制御基板取付け装置。
【請求項３】
上記両持ち板片部が、上記構体と共に樹脂で一体成形されている請求項２に記載したテレビジョン受像機の制御基板取付け装置。
【請求項４】
湾曲形状に形成された上記両持ち板片部の頂部に、上記制御基板の幅方向端部を接触状態で押圧する突起が設けられている請求項２又は請求項３に記載したテレビジョン受像機の制御基板取付け装置。
【請求項５】
上記制御基板にスイッチング素子が搭載されていて、上記構体に設けられている開口窓に、上記スイッチング素子を手動で切換え制御するためのキートップが臨んでいる請求項１又は請求項４のいずれか１項に記載したテレビジョン受像機の制御基板取付け装置。
【発明の詳細な説明】
【技術分野】
【０００１】
本発明は、テレビジョン受像機の制御基板取付け装置、特に、ノブフレームと呼ばれている構体に保持させた制御基板が、スピーカの動作などの影響を受けることにより振動して所謂「ビビリ音」を発生する、という事態を抑制するための対策が講じられているテレビジョン受像機の制御基板取付け装置に関する。
【背景技術】
【０００２】
図４は構体１０に保持されている制御基板５０の要部を説明的に示した縦断正面図である。同図のように、平面視において細長矩形に形成されている制御基板５０の幅方向端部５１が、構体１０に設けられた溝部２０に嵌合状に保持されている。
【０００３】
この構成を備えた制御基板取付け装置において、組立工程では、制御基板５０が、溝部２０の長手方向一端側から構体１０の内部に差し込まれる。そのため、制御基板５０の差込み時のスライド性を確保するために、溝部２０の溝幅寸法が制御基板５０の幅方向端部５１の厚さ寸法よりも少し長くなっている。このことにより、溝部２０に制御基板５０の幅方向端部５１が差し込まれて嵌合されている状態では、溝部２０の一方側溝壁面２１又は他方側溝壁面２２と制御基板５０の幅方向端部５１との間に不可避的な隙間Ｓが形成されてしまう。そして、この隙間Ｓの存在が、制御基板５０の幅方向端部５１が溝部２０内で振動してビビリ音を発生する原因になる。
【０００４】
そこで、従来より、溝部２０内での制御基板５０の振動に伴うビビリ音の発生を抑制するための対策が講じられている。次に、この対策について説明する。
【０００５】
図５は従来例としてのテレビジョン受像機の制御基板取付け装置の概略斜視図である。同図において、細長形状の構体１０に細長矩形の制御基板５０が矢印Ｐの方向に差し込まれている。そして、この制御基板５０の幅方向端部５１が、構体１０に設けられている溝部２０に嵌合状に保持されている。そして、溝部２０と制御基板５０の幅方向端部５１との間に存在する不可避的な隙間にシート状のクッション材６０が挟み込まれている。クッション材６０には、溝部２０の溝壁面に貼り付けられた不織布が採用されている。
【０００６】
この従来例のように、不可避的な隙間にシート状のクッション材６０を挟み込んでおくと、そのクッション材６０により制御基板５０の幅方向端部５１が持ち上げられて溝部２０の一方側溝壁面２１（図４参照）に押圧された状態になり、溝部２０内での制御基板５０の振動に伴うビビリ音の発生が抑制されることが判っている。なお、図５において、１１は構体の天板、１２は天板１１の複数箇所に設けられた開口窓、１３は開口窓１２に臨んでいるキートップであり、このキートップ１３が、制御基板５０に搭載されているスイッチング素子（図に現れていない）を切換制御することに用いられる。
【０００７】
一方、先行例には、液晶モジュールのセルガイドや中継基板のがたつきの発生や振動によるビビリ音の発生を抑制するのに、一定の係合構造や挟持構造を採用することが提案されている（たとえば、特許文献１、特許文献２参照）。
【先行技術文献】
【特許文献】
【０００８】
【特許文献１】特開２０１０−１７５７０５号公報
【特許文献２】特開２０１０−１７５７０４号公報
【発明の概要】
【発明が解決しようとする課題】
【０００９】
しかしながら、図５を参照して説明した従来例によると、溝部２０内での制御基板５０の振動に伴うビビリ音の発生が抑制されるけれども、ビビリ音の発生を抑制するために不織布などのシート状のクッション材６０を余分に用いる必要が生じて、部品点数の増加に伴う組立工数の増加やコスト高を来すという問題があった。
【００１０】
本発明は以上の問題を改善するためになされたものであり、不織布などのシート状のクッション材を用いることなく、溝部内での制御基板の振動に伴うビビリ音の発生を抑制することのできるテレビジョン受像機の制御基板取付け装置を提供することを目的とする。
【００１１】
また、本発明は、余分な部品を用いることなく、溝部内での制御基板の振動に伴うビビリ音の発生を抑制することのできるテレビジョン受像機の制御基板取付け装置を提供することを目的とする。
【課題を解決するための手段】
【００１２】
本発明に係るテレビジョン受像機の制御基板取付け装置は、構体に差し込まれた矩形の制御基板の幅方向端部が、上記構体に設けられた溝部に嵌合状に保持されている。そして、上記溝部の溝幅方向で相対向してその溝部を形成している一方側溝壁面と他方側壁面とのうち、一方側壁面が受面として形成されていると共に、他方側溝壁面が、上記制御基板の幅方向端部を押圧して上記受面に弾圧させる樹脂ばねの表面によって形成されている。
【００１３】
この構成であると、構体の溝部に嵌合状に保持されている制御基板の幅方向端部が、樹脂ばねにより押圧されて、溝部の一方側壁面によって形成されている受面に弾圧しているので、制御基板に、その幅方向端部を受面に弾圧させるためのテンションが常時付加される。そのため、制御基板の幅方向端部が溝部内で振動してビビリ音を発生するという事態が抑制される。したがって、従来例のように不織布などのシート状のクッション材を用いることなく、制御基板の振動に伴うビビリ音の発生が抑制される。
【００１４】
本発明では、上記樹脂ばねが、上記構体に形成された矩形の開口の相対向する辺部の相互間に亘って延び、かつ、上記受面に近付く方向に迫り出た湾曲形状の両持ち板片部によって形成されていることが望ましい。この構成であると、樹脂ばねが両持ち板片部によって形成されていることにより、ばね性の劣化が生じにくく、しかも、両持ち板片部を肉薄に形成しても一定の比較的大きな弾圧力を発生させることができるという利点がある。
【００１５】
また、上記両持ち板片部が、上記構体と共に樹脂で一体成形されていることが望ましく、この構成であれば、樹脂ばねが構体に一体化されているために、部品点数の増加に伴う組立工数の増加やコスト高を来すことがない。
【００１６】
本発明では、湾曲形状に形成された上記両持ち板片部の頂部に、上記制御基板の幅方向端部を接触状態で押圧する突起が設けられていることが望ましい。この構成であれば、樹脂ばねを形成している両持ち板片部と制御基板の幅方向端部との接触面積が小さく抑えられるため、その接触箇所でのビビリ音の発生が生じにくくなるという利点がある。
【００１７】
本発明では、上記制御基板にスイッチング素子が搭載されていて、上記構体に設けられている開口窓に、上記スイッチング素子を手動で切換え制御するためのキートップが臨んでいる、という構成を採用することが可能である。この構成を採用すると、スイッチング素子を切換制御するためのキートップを、テレビジョン受像機のリアキャビネット側に配置しても、制御基板がビビリ音を発生するという事態が抑制される。
【発明の効果】
【００１８】
本発明によると、不織布などのシート状のクッション材を用いることなく、制御基板の振動に伴うビビリ音の発生を抑制することが可能になる。そして、そのような効果を、部品点数の増加を来さずに発揮させることが可能であるので、部品点数の増加に伴う組立工数の増加を伴わず、また、コスト高になることもないので、ビビリ音の発生が抑制されたテレビジョン受像機を安価に提供することが可能になる。
【図面の簡単な説明】
【００１９】
【図１】本発明に係る制御基板取付け装置の概略斜視図である。
【図２】同装置の要部の縦断正面図である。
【図３】図１の要部を拡大して示したＩＩＩ矢視図である。
【図４】構体に保持されている制御基板の要部を説明的に示した縦断正面図である。
【図５】従来例としてのテレビジョン受像機の制御基板取付け装置の概略斜視図である。
【発明を実施するための形態】
【００２０】
図１は本発明に係る制御基板取付け装置Ａの概略斜視図、図２は同装置の要部の縦断正面図、図３は図１の要部を拡大して示したＩＩＩ矢視図である。
【００２１】
図１のように、構体１０は偏平細長形状に形成されていて、天板１１とその天板１１の幅方向両端縁に連設された側壁１４，１５を備えている。図２又は図３のように、一方の側壁１４の複数箇所（図例では３箇所）に矩形の開口１６，１６，１７が形成されている。また、一方の側壁１４の内面側に、構体１０のほゞ全長に亘って延びる溝部２０が備わっている。これに対し、他方の側壁１５の複数箇所に、弾性片でなるフック３１と、内側に突き出た突出部３３とが備わっていて、フック３１の係止爪３２と突出部３３とが、構体１０の厚さ方向で間隔を隔てて対向している。
【００２２】
上記溝部２０は、一方の側壁１４の中央部に形成されている開口１７に臨む箇所の溝幅寸法、具体的には、溝部２０の一方側溝壁面２１と他方側溝壁面２２との相互間距離が、制御基板５０の一方側の幅方向端部５１（幅方向一端部５１という）の厚さ寸法よりも少し長くなっている。
【００２３】
これに対し、上記開口１７を挟んでその両側に形成されている開口１６，１６に臨んでいる箇所では、溝部２０の一方側壁面２１が受面２３として形成されている。また、その溝部２０の他方側壁面２２が、樹脂ばね２５の表面によって形成されている。図例では、樹脂ばね２５が、矩形の開口１６，１６の相対向する辺部１６ａ，１６ａの相互間に亘って延びている肉薄の両持ち板片部２６によって形成されている。また、この両持ち板片部２６は、上記受面２１に近付く方向に迫り出た湾曲形状（円弧形状）に形作られていて、その頂部に、略半円形断面形状を有するリブ状の突起２７が設けられている。そして、両持ち板片部２６によって形成されている樹脂ばね２５が、構体１０と共に樹脂で一体成形されている。さらに、樹脂ばね２５が自然状態にあるとき、すなわち、樹脂ばね２５に負荷が加わっていないときには、突起２７と受面２１との相互間隔が、制御基板５０の一方側の幅方向端部５１の厚さよりもやゝ狭くなっている。
【００２４】
制御基板取付け装置Ａの組立工程では、制御基板５０の一方側の幅方向端縁５１が、溝部２０の長手方向一端側から構体１０の内部に差し込まれ、併せて、制御基板５０の他方側の幅方向端縁５２が、フック３１の係止爪３２と突出部３３との相互間に差し込まれる。この差込み工程では、制御基板５０の幅方向一端縁５１が、樹脂ばね２５の弾性に抗してその突起２７を押し下げながらその突起２７を乗り越える。この差込み工程を行うことにより、図２のように、制御基板５０の幅方向一端部５１が構体１０の溝部２０に嵌合状に保持され、かつ、制御基板５０の他方側の幅方向端部５２がフック３１の係止爪３２と突出部３３との相互間に保持される。
【００２５】
上記のようにして組み立てられた制御基板取付け装置Ａでは、図３に矢印Ｆで示した方向の樹脂ばね２５の弾性復帰作用によって、突起２７が制御基板５０の一方側の幅方向端部５１を接触状態で押圧して受面２３に弾圧させる。そのため、制御基板５０には、幅方向一端部５１を受面２３に弾圧させるためのテンションが常時付加されることになり、そのことが、溝部２０内で制御基板５０の幅方向一端部５１が振動してビビリ音を発生するという事態を抑制することに役立つ。したがって、図５に示した不織布などのシート状のクッション材６０を用いることなく、溝部２０内での制御基板５０の振動に伴うビビリ音の発生が抑制されることになる。発明者は、このビビリ音の抑制作用を検証したところ、ビビリ音がほとんど発生しないことを確認することができた。
【００２６】
特に、この実施形態では、樹脂ばね２５を両持ち板片部２６によって形成したことにより、その樹脂ばねを片持ち板片部によって形成する場合に比べて、樹脂ばね２５のばね性の劣化が生じにくくなり、両持ち板片部２６を肉薄に形成しても一定の比較的大きな弾圧力を発生させてビビリ音を抑制することができた。
【００２７】
また、樹脂ばね２５を形成している両持ち板片部２６の頂部に突起２７を形成し、その突起２７を制御基板５０の幅方向端部５１に接触させて押圧する構成を採用したことにより、両持ち板片部２６と制御基板５０の幅方向端部５１との接触面積が小さく抑えられて、その接触箇所でのビビリ音の発生もなかった。
【００２８】
図１又は図２のように、制御基板５０にスイッチング素子７０が搭載されているのに対し、構体１０の天板１１に設けられている開口窓１２にキートップ１３が臨んでいる。そして、キートップ１３を操作することによって、スイッチング素子７０を手動で切換え制御されるようになっている。また、この実施形態の制御基板取付け装置Ａでは、構体２０の天板１１のうち、開口窓１２が形成されてる領域は、テレビジョン受像機のリアキャビネットに備わっている開口窓（不図示）からその背方に向けて露出される。
【００２９】
以上説明した実施形態では、樹脂ばね２５を構体１０の側壁１４の長手方向２箇所に具備させてあるけれども、樹脂ばね２５の形成箇所の数は、２箇所より多くてもよい。また、樹脂ばね２５を両持ち板片部２６によって形成してあるけれども、樹脂ばね２５を、構体１０と共に樹脂で一体成形された片持ち状の板片部によって形成することも可能である。
【符号の説明】
【００３０】
１０  構体
１２  開口窓
１３  キートップ
１６  開口
１６ａ  開口の辺部
２０  溝部
２１  一方側溝壁面
２２  他方側溝壁面
２５  樹脂ばね
２６  両持ち板片部
２７  突起
５０  制御基板
５１  制御基板の幅方向端部
７０  スイッチング素子
【図１】
2012235367.tif 000003
【図２】
2012235367.tif 000004
【図３】
2012235367.tif 000005
【図４】
2012235367.tif 000006
【図５】
2012235367.tif 000007